(57)【要約】      （修正有）【課題】嵌合密閉構造を備えた医療機関に設置する感染性医療廃棄物等の密閉容器を容易に閉蓋し密閉することのできる密閉容器用蓋閉め具を提供する。【解決手段】先端側には蓋体の周縁突条又は容器体の鍔縁の下面と掛止する掛止部２ａを有する鉤部２を形成し、基端側には把持部３を形成してなる杆体からなり、前記鉤部２の後方には湾曲部４が形成されるとともに、前記湾曲部４内側面の把持部３側の側壁７には上り傾斜状に形成された傾斜面を有し、前記傾斜面の中央には、前記鍔縁の端縁又は前記周縁突条の上面を当接させ押動することで蓋体を容器体に嵌合させるための前記掛止部２ａより小さい幅の凸状の段差部６を傾斜に沿うように形成し、また、前記鉤部２側壁の外周縁上にリブ５を形成した。【選択図】図１
0003182238.tif 000002
【実用新案登録請求の範囲】
【請求項１】
容器（Ａ）の容器体（Ｃ）と蓋体（Ｂ）とを密閉するための蓋閉め具であって、
先端側には前記蓋体（Ｂ）の周縁突条（１１）又は前記容器体（Ｃ）の鍔縁（１２）の下面と掛止する掛止部（２ａ）を有する鉤部（２）を形成し、基端側には把持部（３）を形成してなる杆体からなり、
前記鉤部（２）の後方には湾曲部（４）が形成されるとともに、
前記湾曲部（４）内側面の把持部（３）側の側壁（７）には上り傾斜状に形成された傾斜面を有し、
前記傾斜面の中央には、前記鍔縁（１２）の端縁又は前記周縁突条（１１）の上面を当接させ押動することで蓋体（Ｂ）を容器体（Ｃ）に嵌合させるための前記掛止部（２ａ）より小さい幅の凸状の段差部（６）を形成したことを特徴とする密閉容器用蓋閉め具。
【請求項２】
前記鉤部（２）側壁の外周縁上にリブ（５）を形成したことを特徴とする請求項1に記載の密閉容器用蓋閉め具。
【考案の詳細な説明】
【技術分野】
【０００１】
本考案は、嵌合密閉構造を備えた医療機関に設置する感染性医療廃棄物や防疫処理、汚染土壌の処理用の密閉容器を容易に閉蓋し密閉することのできる蓋閉め具に関する。
【背景技術】
【０００２】
今日、医療機関での感染性医療廃棄物や感染性一般廃棄物用の密閉容器の取扱いについては、ＭＲＳＡ、ＡＩＤＳなどの血液感染が問題視されていることから、感染防止のため、使用済注射針、血液回路チューブおよび注射器などの感染性医療廃棄物を合成樹脂製の密閉容器に収納する。
【０００３】
また、昨今では、飛散流出することで甚大な被害を及ぼす恐れのある防疫処理、汚染土壌の処理等の危険物を回収し輸送するために使用される容器もこの種の密閉容器が使用されている。
【０００４】
これら密閉容器は、感染性医療廃棄物又は危険物を収納した後密閉し、専門業者に委託し、収納容器ごとに中間処理場で焼却される。
【０００５】
密閉容器は一旦閉蓋したら開蓋不可能な堅牢な嵌合構造を備えるため、閉蓋作業には人力によるある一定の強い力を必要とする。
【０００６】
従来では、掌を蓋体（Ｂ）に当てて全体重をかけるようにして蓋体（Ｂ）の係合凹溝に容器体（Ｃ）の係合凸部を押し込んだり、蓋体（Ｂ）の周縁突条（１１）をハンマー等で叩いて蓋体（Ｂ）の係合凹溝に容器体（Ｃ）の係合凸部を押し込んで閉蓋していた。
【０００７】
しかしながら、掌を蓋体（Ｂ）に当てて閉蓋する方法は非力な人にあっては充分な加圧ができずに不完全な閉蓋となり、またハンマー等で蓋体を叩くことは大きな騒音が発生するばかりか、蓋体や容器体が破損する虞もあり問題がある。
【０００８】
そこで、このような問題を解決するために以下のような密閉容器用の蓋閉め具が開示されている。
【０００９】
特許文献１は、支点となる鉤部を先端に形成し、力点となる把持部を基端に形成してなる杆体からなり、前記鉤部後方には凹曲部を連設するとともに、凹曲部の把持部側側壁には作用点とする、いわゆるテコの原理を利用し閉蓋するものである。
【先行技術文献】
【特許文献】
【００１０】
【特許文献１】実用新案登録第２６０１６２５号
【考案の概要】
【考案が解決しようとする課題】
【００１１】
特許文献１による蓋閉め具は、ハンマー等による閉蓋方法と異なり、蓋体（Ｂ）や容器体（Ｃ）が破損することなく容易に閉蓋が可能であるが、全体が合成樹脂材により比較的扁平に成形されているため、過度な力で把持部を押動した場合には、作用点である凹曲部の把持部側側壁に必要以上の力が掛かり折れて破損することがある。
【００１２】
また正しく閉蓋するには、蓋体（Ｂ）や容器体（Ｃ）に対し垂直方向に押動しなければならず、多忙極まる医師や看護師や、多くの量の汚染物を処理しなければならない業者等が、強い力で押動する際には、多かれ少なかれ手元がずれたりねじれたりと安定した閉蓋ができない事も多く、その際に掛かる力が凹曲部の把持部側側壁へねじれとなって作用し折れの原因にもなる。
【００１３】
そこで本考案では、把持部を過度な力で押動した際にも、凹曲部の把持部側側壁を折れにくくするとともに、把持部にて押動する際に多少手元がずれたりねじれたりしても、蓋体（Ｂ）と容器体（Ｃ）が正しく安全確実に閉蓋することのできる密閉容器用蓋閉め具を提供することを目的とするものである。
【課題を解決するための手段】
【００１４】
前記の問題を解決するために本考案では、容器（Ａ）の容器体（Ｃ）と蓋体（Ｂ）とを密閉するための蓋閉め具であって、先端側には前記蓋体（Ｂ）の周縁突条（１１）又は前記容器体（Ｃ）の鍔縁（１２）の下面と掛止する掛止部（２ａ）を有する鉤部（２）を形成し、基端側には把持部（３）を形成してなる杆体からなり、前記鉤部（２）の後方には湾曲部（４）が形成されるとともに、前記湾曲部（４）内側面の把持部（３）側の側壁（７）には上り傾斜状に形成された傾斜面を有し、前記傾斜面の中央には、前記鍔縁（１２）の端縁又は前記周縁突条（１１）の上面を当接させ押動することで蓋体（Ｂ）を容器体（Ｃ）に嵌合させるための前記掛止部（２ａ）より小さい幅の凸状の段差部（６）を傾斜に沿うように形成した。
【００１５】
また、前記鉤部（２）側壁の外周縁上にリブ（５）を形成した。
【考案の効果】
【００１６】
本考案の密閉容器用蓋閉め具（１）によれば、把持部（３）を過度な力で押動した際にも、湾曲部（４）の把持部（３）側側壁（７）を折れにくくするとともに、前記把持部（３）にて押動する際に多少手元がずれたりねじれたりした場合でも、蓋体（Ｂ）と容器体（Ｃ）が正しく安全確実に閉蓋することができるという効果がある。
【図面の簡単な説明】
【００１７】
【図１】本発明の蓋閉め具（１）を示した側面図である。
【図２】本発明の蓋閉め具（１）の湾曲部（４）を拡大して示した斜視図。
【図３】本発明の蓋閉め具（１）用いて容器を密閉する使用状態図である。
【考案を実施するための形態】
【００１８】
以下、図１〜図３（ａ）（ｂ）に基づいて本考案の容器用蓋閉め具（１）の実施例について説明する。
【００１９】
本考案の容器用蓋閉め具（１）は、合成樹脂材により成形され、図３（ａ）（ｂ）に示すように、容器体（Ｃ）と蓋体（Ｂ）に嵌合密閉構造を備えてなる密閉容器（Ａ）の容器体（Ｃ）の鍔縁（１２）の下面、もしくは蓋体（Ｂ）の周縁突条（１１）に掛止する図１及び図２に示すような鉤部（２）を先端側に形成し、基端側に把持部を形成してなる杆体からなる。
【００２０】
また、前記鉤部（２）後方には湾曲部（４）が形成されるとともに、前記湾曲部（４）内側面の把持部（３）側の側壁（７）には上り傾斜状に形成された傾斜面を有している。
【００２１】
前記側壁（７）の傾斜面の中央には、前記容器体（Ｃ）の鍔縁（１２）の端縁又は蓋体（Ｂ）の周縁突条（１１）の上面を当接させ押動することで蓋体（Ｂ）を容器体（Ｃ）嵌合させるための前記鉤部（２）の掛止部（幅）（２ａ）より小さい幅を持つ凸状の段差部（６）を傾斜始端側手前から傾斜終端側手前にかけて傾斜に沿うように形成されている。
【００２２】
また、前記鉤部（２）側壁の外周縁上には前記閉め具（１）の厚み方向に強度を保持するためのリブ（５）が形成されている。
【００２３】
ここで、前記リブ（５）を形成し掛止部（２ａ）の幅を大きくすることで、鉤部（２）はフラつかずに安定して容器体（Ｃ）の鍔縁（１２）の端縁、もしくは蓋体（Ｂ）の周縁突条（１１）に鉤部（２）を掛止させることが可能となり、また、把持部（３）の押動の際にねじれやズレが生じた場合でも、支点である前記鉤部（２）と同じく前記リブ（５）を形成した作用点である前記側壁（７）の強度が十分保持されているため、折れによる破損を防ぐことができる。
【００２４】
また、特許文献１の従来例では、支点である鉤部（２）の掛止部（２ａ）と側壁（７）の当接面（部）の幅が等しいため、前記閉め具（１）を押動する際横ずれや傾きが生じた場合、作用点である前記湾曲部（４）内側面の把持部（３）側の側壁（７）に掛かる力を正しく蓋体（Ｂ）の周縁突条（１１）もしくは容器体（Ｃ）の鍔縁（１２）へ伝えることができず、そのため閉蓋できないか、又は閉蓋できたとしも閉蓋が不完全となる場合が多かった。
【００２５】
しかし、本考案では、前記側壁（７）の傾斜面上に、前記鉤部（２）の掛止部（幅）（２ａ）より小さい幅を持つ凸状の段差部（６）を傾斜に沿うように形成しているため、作用点に掛かる力のガイド的役割を有するとともに、凸状の段差部（６）への力学的作用が集約されるため、横ずれを抑制し安定した押動操作ができる。
【００２６】
また、仮に横ずれや傾きが生じた場合でも、前記側壁（７）よりも高い凸状の段差部（６）が当接面となって強い作用力を蓋体（Ｂ）の周縁突条（１１）もしくは容器体（Ｃ）の鍔縁（１２）に対して及ぼし続けるので正しく閉蓋することができる。
【００２７】
次に、密閉容器用蓋閉め具（１）についての使用方法について説明する。
【００２８】
図３（ａ）に示すように、鉤部（２）を容器体（Ｃ）の鍔縁（１２）の下面に掛止し、凸状の段差部（６）を蓋体（Ｂ）の周縁突条（１１）上面に当接させ、把持部（３）を矢印方向に押動付勢すると、鉤部（２）が支点で把持部（３）が力点、そして凸状の段差部（６）が作用点となるテコの原理により、把持部（３）を押動する力の数倍の大きな力が凸状の段差部（６）に作用する。
【００２９】
また、図３（ｂ）に示すように、鉤部（２）を蓋体（Ｂ）の周縁突条（１１）の上面に掛止し、前記凸状の段差部（６）を容器体（Ｃ）の鍔縁（１２）の端縁に当接させ、把持部（３）を矢印方向に押動付勢してもよい。
【符号の説明】
【００３０】
１   容器用蓋閉め具
２   鉤部
２   掛止部
３   把持部
４   湾曲部
５   リブ
６   凸状の段差部（６）
７   側壁
１１ 蓋体の周縁突条
１２ 容器体の鍔縁
Ａ  容器
Ｂ  容器の蓋体
Ｃ  容器の容器体
【図１】
0003182238.tif 000003
【図２】
0003182238.tif 000004
【図３】
0003182238.tif 000005